(57)【要約】【課題】軽量で植物の生育が良く、古紙や稲藁から安価で簡単に得られる軽量土壌を提供する。【解決手段】裁断した稲藁スサを水に浸漬して発酵させて得た稲藁発酵液に裁断紙を浸漬して裁断紙を一部溶解し、脱水後回転造粒して乾燥させて軽量土壌を得る。【選択図】        図５
2011200200.tif 000002
【特許請求の範囲】
【請求項１】
稲藁或いは裁断した稲藁スサを水に浸漬して発酵させて得た稲藁発酵液に裁断紙を浸漬して裁断紙を一部溶解し、該一部溶解物を脱水して造粒機で造粒し、次いで乾燥したことを特徴とする軽量土壌。
【請求項２】
一部溶解物に粉炭を混合し、これを脱水して造粒機で造粒し、次いで乾燥してある、請求項１記載の軽量土壌。
【請求項３】
籾殻やおが屑の粉末を混合してなる、請求項１又は請求項２記載の軽量土壌。
【発明の詳細な説明】
【技術分野】
【０００１】
本発明は、新規な植物栽培用の軽量土壌に関するものである。
【背景技術】
【０００２】
最近流行している建物の屋上緑化などには、軽量土壌が要求されている。現在提案されている軽量土壌には、様々なものがある。
【０００３】
例えば、パーライトと石炭灰より製造した低吸水性発泡体（特許文献１）とか、木質軽チップ材を高温高圧蒸気処理したもの（特許文献２）とか、多孔質物質を主材とし粘性のある有機系安定材を混合した軽量土壌（特許文献３）などがある。また、古紙を湿式解繊してバインダ成分と混合して造粒する技術もある（特許文献４）。
【先行技術文献】
【特許文献】
【０００４】
【特許文献１】特開平１０−１０８５４２号公報
【特許文献２】特開２００４−３０５０８５号公報
【特許文献３】特開２００４−３２９０３１号公報
【特許文献４】特開２００４−０８４０９９号公報
【発明の概要】
【発明が解決しようとする課題】
【０００５】
これらの内、後者は紙を原料としているが、本発明のように、稲藁のエキスを使用するものではない。
【課題を解決するための手段】
【０００６】
本発明の軽量土壌は、稲藁を水に浸漬して得た稲藁発酵液に裁断紙を浸漬して裁断紙を一部溶解し、該一部溶解物を脱水して造粒機で造粒し、次いで乾燥したものである。
【０００７】
裁断紙を稲藁発酵液に数〜十数日（４〜１４日）程度浸漬して放置した後、ハンドミキサーや混練機で混練すると、裁断紙は形状を崩して膨潤し或いは直径５ｍｍ位のボール状となる。液は粘性をもつようになる。この膨潤した裁断紙に稲藁スサを加えて板状等に成形すると、軽量な植物栽培用基盤が得られる。本発明の軽量土壌は、稲藁スサを加えることなく、そのままコンクリートミキサーなどで回転造粒することで、造粒でき、これを乾燥させると、極めて軽い（比重約0.6 程度）土壌が得られる。尚、裁断紙に稲藁発酵液を入れると、３日位で泡立って発酵状態となる。
【０００８】
裁断紙は、新聞紙、週刊誌、雑誌、事務用紙、レポート用紙などを３〜８ｍｍ幅長さ３〜８ｃｍ程度に裁断したものである。尚、上記混練物中に水溶性の接着剤を混入しておくと、軽量土壌の乾燥後強度が増す。
【０００９】
稲藁発酵液の代わに水を用いた場合は、数１０日以上掛かっても裁断紙は溶解せず、また裁断紙同志が接着することもない。これに対し、稲藁発酵液を用いた場合は、理由は明らかでないが数日で裁断紙の一部が溶解し、また裁断紙の接着も見られる。これにより、裁断紙の絡みが行われて回転するとしっかりした軽量土壌が得られることになる。また、稲藁発酵液が養分になるのか栽培した植物の生育も良好になる。
【００１０】
この稲藁発酵液の２０〜４０Ｌを、同様に大きなポリバケツに入れた４０Ｌ程度の裁断紙に加え、数日〜十数日（冬季で１〜２週間、夏季で４〜１０日程度）放置し、或いは数回攪拌すると、裁断紙の一部が溶解し始める。この状態で、裁断紙を大型篩などに移して脱水し、その後、コンクリートミキサーで攪拌回転させると造粒が成される。
【００１１】
稲藁発酵液に、裁断紙と籾殻の燻炭その他の炭の粉砕物を１〜３割程度加えて発酵させ、同様に脱水後造粒してもよい。尚、更に、一部溶解した裁断紙に籾殻の粉末やおが屑の粉末を0.１〜0.３の割合で加えて混合して水分調整するようにしてもよい。また、夏場の乾燥に対しては、前記混練物に対しておが屑や籾殻などを加えると、これらの含水による軽量土壌の乾燥を防ぐ効果がある。量が少ないと効果がないし、多すぎると軽量土壌崩れたりするので、上記範囲で適宜割合にする必要がある。軽量土壌に、肥料（即効性、遅効性）を添加してもよい。
【発明の効果】
【００１２】
以上詳述したように、本発明は、稲藁或いは裁断した稲藁或いは更に籾殻を水に浸漬して発酵させて得た稲藁発酵液に裁断紙を浸漬して裁断紙を一部溶解し、これをコンクリートミキサーなどの回転式造粒機で造粒したものである。籾殻を加えて発酵させると、発酵が早まる。
【００１３】
従って、
（１）稲藁或いは稲藁スサを水に浸漬して発酵させて得た稲藁発酵液に数〜十数日間裁断紙を浸漬するだけで、裁断紙は一部溶解膨潤してボール状となる。これを脱水して造粒成形すると、軽量土壌が得される。この土壌には、稲藁発酵液の養分もあって植物の成長に好ましいものである。
（２）材料は、古新聞や雑誌などの廃物と水であり、安価に得られる。
（３）稲藁発酵液の中に接着剤を混入しておくと、裁断紙の接合がより強固になる。
（４）本発明の軽量土壌は、屋上緑化や、室内での植木鉢等の土壌として用いることができる。
【図面の簡単な説明】
【００１４】
【図１】本発明の稲藁発酵液を製造する状態の一例を示す一部を破断した正面図であり、（ａ）は稲藁スサと籾殻に水を加えた時の状態を示し、（ｂ）は２週間程度経った状態を示す。（実施例１）
【図２】裁断紙に稲藁発酵液を加えた状態の一例を示す一部を正面図であり、（ａ）は裁断紙に稲藁発酵液を加えた時の状態、（ｂ）は１０日程度経過後の状態を示す。（実施例１）
【図３】大型の篩に一部溶解物を入れて脱水している状態の正面図である。（実施例１）
【図４】ダルマ型のコンクリートミキサーの斜視図である。（実施例１）
【図５】造粒された軽量土壌の斜視図である。（実施例１）
【図６】裁断紙に稲藁発酵液と籾殻燻炭粉末を加えた状態を示す一部を正面図である。（実施例２）
【図７】図６の裁断紙と燻炭の脱水物を造粒した造粒品の斜視図である。（実施例２）
【図８】（ａ）は、一部溶解した裁断紙に籾殻の粉末を混合したものの造粒品を示す斜視図、（ｂ）は一部溶解した裁断紙におが屑の粉末を混合したものの造粒品を示す斜視図である。
【発明を実施するための形態】
【００１５】
稲藁或いは裁断した稲藁スサを水に浸漬して発酵させて得た稲藁発酵液に裁断紙を浸漬して裁断紙を一部溶解し、該一部溶解物を造粒し次いで乾燥する。
【実施例１】
【００１６】
以下、本発明を図面に基づいて詳細に説明する。図１（ａ）は、本発明に使用する稲藁発酵液１を製造する場合の一例を示す。まず、５０Ｌ程度の容量のプラスチック容器２に、稲藁スサ３を３０Ｌと籾殻４を１０Ｌ投入し、これに水２０Ｌを加えて約８日程度放置しておく。この期間は冬季と夏期では異なるが、８日は春〜夏の数値である。内容物は時々攪拌する。そうすると、次第に水に色が付き、図１（ｂ）に示すように、１週間経過すると褐色透明な稲藁発酵液１が得られる。尚、稲藁スサのみの場合、同じく４０Ｌ程度を使用するが、この場合には稲藁発酵液は１０日（春〜夏）程度で得られる。
【００１７】
この稲藁発酵液１の３０Ｌを、図２（ａ）に示すように同様に大きなポリバケツ５に入れた４０Ｌ程度の裁断紙６に加え、４〜１４日程度放置しておくと、裁断紙６の一部が溶解し始める（図２（ｂ））。この状態で、一部溶解物６′を、大型の篩７に入れて、３〜７日置いておくと脱水し、含水率４０％程度になる。脱水した一部溶解した稲藁発酵液８は、再利用ができる。この脱水物の３０〜４０Ｋｇをコンクリートミキサー９に投入し、回転して造粒する。これを、数日掛けて乾燥すると、図５に示すような軽量土壌１０が得られる。
【実施例２】
【００１８】
図６は、一部溶解物６′の３０Ｌに粉炭１１の１０Ｌを混合して稲藁発酵液１に入れて１０日程度放置しておいたものである。この一部溶解物６′と粉炭１１の混合物も、同様に大型の篩７に入れて、３〜７日置いておくと脱水し、含水率４０％程度になる。この脱水物の３０〜４０Ｋｇをコンクリートミキサー９に投入し、回転して造粒する。これを、数日掛けて乾燥すると、図７に示すような軽量土壌１２が得られる。
【００１９】
図８（ａ）は、実施例１で一部溶解物６′をコンクリートミキサー９に投入した時に、水分が多くて造粒ができにくい場合などに、籾殻の粉末１３を0.１〜0.３の割合で投入して造粒した軽量土壌１４である。また、図８（ｂ）は、同じくおが屑の粉末１５を一部溶解物６′に混合して造粒した軽量土壌１６を示す。
【産業上の利用可能性】
【００２０】
古新聞や古雑誌などと水及び稲藁が原料であるため安価大量に得られるとともに、得られた土壌は軽量であり、また、水分も３２０〜４０％程度は吸収でき、保水性や通気性に富むものである。また、不要になれば焼却処分できる利点がある。
【符号の説明】
【００２１】
１    稲藁発酵液
２    プラスチック容器
３    稲藁スサ
４    籾殻
５    ポリバケツ
６    裁断紙
６′  一部溶解物
７    大型の篩
８    稲藁発酵液
９    コンクリートミキサー
１０    軽量土壌
１１    粉炭
１２    軽量土壌
１３    籾殻の粉末
１４    軽量土壌
１５    おが屑の粉末
１６    軽量土壌
【図１】
2011200200.tif 000003
【図２】
2011200200.tif 000004
【図３】
2011200200.tif 000005
【図４】
2011200200.tif 000006
【図５】
2011200200.tif 000007
【図６】
2011200200.tif 000008
【図７】
2011200200.tif 000009
【図８】
2011200200.tif 000010